(57)【要約】【課題】照明器具の付加機能を適切に働かせ、また、照明システムの消費電力を削減する。【解決手段】照明システム１００は、複数の照明器具１〜９と、スイッチ２１〜２３と、スイッチ２１〜２３の開閉を制御する照明コントローラ３０とを備える。照明コントローラ３０は、通信デバイス６０から照明器具１〜９に送信された無線信号に関する情報に基づき、各照明器具１〜９について無線信号を受信したか否かを判断する制御部３０ｃを備える。制御部３０ｃは、照明器具１〜９において、スイッチに接続された少なくとも１つの照明器具が無線信号を受信したと判断した場合に、当該スイッチを閉じ、スイッチに接続された全ての照明器具が無線信号を受信していないと判断した場合に、当該スイッチを開く。【選択図】図１Ａ
2020027763.tif 000002
【特許請求の範囲】
【請求項１】
複数の照明器具と、
前記複数の照明器具の少なくとも１つに接続されたスイッチと、
前記スイッチの開閉を制御することで、前記スイッチに接続された照明器具への電力の供給有無を切り替える照明コントローラと
を備え、
前記複数の照明器具のそれぞれは、前記照明コントローラと通信する器具通信部と、前記照明コントローラと異なる通信デバイスから送信される無線信号を受信する受信部とを有し、
前記照明コントローラは、前記無線信号に関する情報を受け取る通信部と、前記無線信号に関する情報に基づき前記複数の照明器具のそれぞれについて前記無線信号を受信したか否かを判断する制御部とを備え、
前記制御部は、前記複数の照明器具において、ｉ）前記スイッチに接続された少なくとも１つの照明器具が前記無線信号を受信したと判断した場合に、当該スイッチを閉じ、ｉｉ）前記スイッチに接続された全ての照明器具が前記無線信号を受信していないと判断した場合に、当該スイッチを開く
照明システム。
【請求項２】
前記制御部は、前記受信部にて受信した前記無線信号の電波強度が予め決められた閾値よりも小さい場合に、当該スイッチに接続された照明器具が前記無線信号を受信していないと判断する
請求項１に記載の照明システム。
【請求項３】
前記制御部は、前記無線信号を受信していない回数が、連続して規定回数以上となった場合に、当該スイッチに接続された照明器具が前記無線信号を受信していないと判断する
請求項１または２に記載の照明システム。
【請求項４】
前記受信部は、前記通信デバイスの識別情報を含む信号を前記無線信号として受信する
請求項１に記載の照明システム。
【請求項５】
前記複数の照明器具は、建物内に設置され、
前記制御部は、前記無線信号の電波強度に基づいて前記建物内における前記通信デバイスの位置を求める
請求項４に記載の照明システム。
【請求項６】
前記制御部は、前記スイッチに接続された照明器具のうち全ての照明器具が前記無線信号を受信していないと判断し、かつ、前記スイッチに接続された照明器具のうち全ての照明器具が点灯制御不要状態となっている場合に、当該スイッチに接続された全ての照明器具への電力の供給を停止する
請求項１〜５のいずれか１項に記載の照明システム。
【請求項７】
前記制御部は、前記スイッチに接続された照明器具のうち全ての照明器具が前記無線信号を受信していないと判断し、かつ、前記スイッチに接続された照明器具のうち全ての照明器具のスケジュールが消灯に設定されている場合に、前記消灯に設定されている時間帯に当該スイッチに接続された全ての照明器具への電力の供給を停止する
請求項１〜５のいずれか１項に記載の照明システム。
【請求項８】
前記制御部は、さらに、前記通信部にて取得した情報に基づき、前記スイッチに接続された照明器具を基準として規定領域内に位置しかつ前記スイッチと異なるスイッチに接続された照明器具が前記無線信号を受信したか否かを判断し、前記スイッチと異なるスイッチに接続された照明器具が前記無線信号を受信した場合に、当該スイッチに接続された全ての照明器具への電力の供給を停止せず、前記電力を供給する
請求項１〜７のいずれか１項に記載の照明システム。
【請求項９】
前記制御部は、さらに、前記通信部にて取得した情報に基づき、前記スイッチに接続された全ての照明器具を含む領域を基準として規定領域内に位置しかつ前記スイッチと異なるスイッチに接続された照明器具が前記無線信号を受信したか否かを判断し、前記スイッチと異なるスイッチに接続された照明器具が前記無線信号を受信した場合に、当該スイッチに接続された全ての照明器具への電力の供給を停止せず、前記電力を供給する
請求項１〜７のいずれか１項に記載の照明システム。
【請求項１０】
前記制御部は、前記スイッチに接続された全ての照明器具への電力の供給が停止状態にあり、かつ、前記スイッチに接続された照明器具を基準として規定領域内に位置しかつ前記スイッチと異なるスイッチに接続された照明器具が前記無線信号を受信した場合に、前記停止状態を解除して当該スイッチに接続された全ての照明器具へ電力を供給する
請求項１〜７のいずれか１項に記載の照明システム。
【請求項１１】
前記制御部は、前記スイッチに接続された全ての照明器具への電力の供給が停止状態にあり、かつ、前記スイッチに接続された全ての照明器具を含む領域を基準として規定領域内に位置しかつ前記スイッチと異なるスイッチに接続された照明器具が前記無線信号を受信した場合に、前記停止状態を解除して当該スイッチに接続された全ての照明器具へ電力を供給する
請求項１〜７のいずれか１項に記載の照明システム。
【請求項１２】
前記制御部は、全ての前記複数の照明器具への電力の供給が停止された場合に、一定時間ごとに全ての前記スイッチを閉じることで当該スイッチに接続された全ての照明器具に電力を供給し、前記受信部が前記無線信号を受付可能な状態とする
請求項１〜１１のいずれか１項に記載の照明システム。
【請求項１３】
前記制御部は、前記スイッチごとに予め決められた前記一定時間を記憶する記憶部を有し、前記記憶部に記憶された前記一定時間に基づいて前記スイッチに接続された全ての照明器具に電力を供給する
請求項１２に記載の照明システム。
【請求項１４】
さらに、前記照明コントローラに接続され、前記スイッチのうちの少なくとも１つのスイッチに対応する入力機器を備え、
前記制御部は、前記入力機器から出力された信号を受け付けた場合に、前記入力機器に対応するスイッチを閉じて、当該スイッチに接続された照明器具に電力を供給する
請求項１〜１３のいずれか１項に記載の照明システム。
【請求項１５】
前記入力機器は、ドアセンサ、赤外線センサ、熱線センサおよび画像センサのうちの少なくとも１つである
請求項１４に記載の照明システム。
【請求項１６】
外部の通信デバイスから送信される無線信号を受信する受信部を有する複数の照明器具と、前記複数の照明器具の少なくとも１つに接続されたスイッチと、前記スイッチの開閉を制御することで、前記スイッチに接続された照明器具への電力の供給有無を切り替える照明コントローラとを備える照明システムの電力供給方法であって、
前記複数の照明器具のそれぞれから前記無線信号に関する情報を取得し、
前記無線信号に関する情報に基づき前記複数の照明器具のそれぞれについて前記無線信号を受信したか否かを判断し、
ｉ）前記判断にて前記スイッチに接続された少なくとも１つの照明器具が前記無線信号を受信したと判断した場合に、当該スイッチを閉じ、または、
ｉｉ）前記判断にて前記スイッチに接続された全ての照明器具が前記無線信号を受信していないと判断した場合に、当該スイッチを開く
照明システムの電力供給方法。
【発明の詳細な説明】
【技術分野】
【０００１】
本発明は、照明器具を備える照明システム、および、照明システムの電力供給方法に関する。
【背景技術】
【０００２】
従来、複数の照明器具と、複数の照明器具を点灯制御する照明コントローラとを備える照明システムが知られている。この種の照明システムの一例として、特許文献１には、複数の照明器具と、複数の照明器具に接続された複数のスイッチと、複数のスイッチに接続された照明コントローラとを備える照明システムが開示されている。この照明システムでは、照明コントローラが各スイッチの開閉を制御することで、各スイッチに接続された照明器具への電力の供給有無を切り替えている。
【先行技術文献】
【特許文献】
【０００３】
【特許文献１】特開２０１８−６２２１号公報
【発明の概要】
【発明が解決しようとする課題】
【０００４】
照明システムを構成する複数の照明器具は、建物の天井に点在して設置されることが多い。そのため照明器具には、照明とは異なる機能として、例えば、建物内における人の位置を検出するための機能が付加されることがある。また照明システムでは、照明システムの消費電力を削減するため、光を照射する必要がない照明器具はスイッチが切られて消灯させられることがある。
【０００５】
しかしながら、上記のように照明とは異なる付加機能を有する照明器具では、照明器具のスイッチが切られると、付加機能を正常に働かせることができないという問題がある。
【０００６】
そこで本発明は、照明器具の付加機能を適切に働かせ、また、照明システムの消費電力を削減することができる照明システム等を提供すること目的とする。
【課題を解決するための手段】
【０００７】
本発明の照明システムの一態様は、複数の照明器具と、前記複数の照明器具の少なくとも１つに接続されたスイッチと、前記スイッチの開閉を制御することで、前記スイッチに接続された照明器具への電力の供給有無を切り替える照明コントローラとを備え、前記複数の照明器具のそれぞれは、前記照明コントローラと通信する器具通信部と、前記照明コントローラと異なる通信デバイスから送信される無線信号を受信する受信部とを有し、前記照明コントローラは、前記無線信号に関する情報を受け取る通信部と、前記無線信号に関する情報に基づき前記複数の照明器具のそれぞれについて前記無線信号を受信したか否かを判断する制御部とを備え、前記制御部は、前記複数の照明器具において、ｉ）前記スイッチに接続された少なくとも１つの照明器具が前記無線信号を受信したと判断した場合に、当該スイッチを閉じ、ｉｉ）前記スイッチに接続された全ての照明器具が前記無線信号を受信していないと判断した場合に、当該スイッチを開く。
【０００８】
本発明の照明システムの電力供給方法の一態様は、外部の通信デバイスから送信される無線信号を受信する受信部を有する複数の照明器具と、前記複数の照明器具の少なくとも１つに接続されたスイッチと、前記スイッチの開閉を制御することで、前記スイッチに接続された照明器具への電力の供給有無を切り替える照明コントローラとを備える照明システムの電力供給方法であって、前記複数の照明器具のそれぞれから前記無線信号に関する情報を取得し、前記無線信号に関する情報に基づき前記複数の照明器具のそれぞれについて前記無線信号を受信したか否かを判断し、ｉ）前記判断にて前記スイッチに接続された少なくとも１つの照明器具が前記無線信号を受信したと判断した場合に、当該スイッチを閉じ、または、ｉｉ）前記判断にて前記スイッチに接続された全ての照明器具が前記無線信号を受信していないと判断した場合に、当該スイッチを開く。
【発明の効果】
【０００９】
本発明の照明システム等は、照明器具の付加機能を適切に働かせ、また、照明システムの消費電力を削減することができる。
【図面の簡単な説明】
【００１０】
【図１Ａ】実施の形態１に係る照明システムを示す模式図である。
【図１Ｂ】実施の形態１の照明器具およびスイッチの電源線および信号線を示す図である。
【図２】実施の形態１の照明器具を示すブロック構成図である。
【図３】実施の形態１のスイッチを示すブロック構成図である。
【図４】実施の形態１の照明器具と通信する通信デバイスを示すブロック構成図である。
【図５】実施の形態１の照明コントローラを示すブロック構成図である。
【図６Ａ】実施の形態１の照明コントローラの記憶部に予め保存されている情報を示す図である。
【図６Ｂ】実施の形態１の照明コントローラの記憶部に記憶される情報を示す図である。
【図７】実施の形態１に係る照明システムの電力供給方法を示すフローチャートである。
【図８】実施の形態１に係る照明システムの動作の一部を示すシーケンス図である。
【図９】実施の形態１の変形例１に係る照明システムの電力供給方法を示すフローチャートである。
【図１０】実施の形態１の変形例１に係る照明システムの動作の一部を示すシーケンス図である。
【図１１】実施の形態１の変形例２に係る照明システムの電力供給方法を示すフローチャートである。
【図１２】実施の形態１の変形例３に係る照明システムの電力供給方法を示すフローチャートである。
【図１３】実施の形態１の変形例４に係る照明システムの電力供給方法を示すフローチャートである。
【図１４】実施の形態１の変形例４の照明コントローラの記憶部に予め保存されている情報を示す図である。
【図１５】実施の形態２に係る照明システムの電力供給方法を示すフローチャートである。
【図１６】実施の形態２に係る照明システムを示すレイアウト図である。
【図１７】実施の形態２の変形例に係る照明システムを示すレイアウト図である。
【図１８】実施の形態３に係る照明システムの電力供給方法を示すフローチャートである。
【図１９】実施の形態３に係る照明システムを示すレイアウト図である。
【図２０】実施の形態３の変形例に係る照明システムを示すレイアウト図である。
【図２１】実施の形態４に係る照明システムの電力供給方法を示すフローチャートである。
【図２２】実施の形態４の照明コントローラの記憶部に予め保存されている情報を示す図である。
【図２３】実施の形態５に係る照明システムを示す模式図である。
【発明を実施するための形態】
【００１１】
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態１）
［１−１．照明システムの構成］
本実施の形態に係る照明システム１００の全体の構成について説明する。図１Ａは、実施の形態１に係る照明システム１００を示す模式図である。
【００１４】
図１Ａに示すように、照明システム１００は、複数の照明器具１、２、３、４、５、６、７、８および９と、複数のスイッチ２１、２２および２３と、照明コントローラ３０とを備える。各照明器具１〜９は、信号線ＳＬ１を介して照明コントローラ３０に接続されている。各スイッチ２１〜２３は、信号線ＳＬ２を介して照明コントローラ３０に接続されている。各照明器具１〜３は、電源線ＰＬ１を介してスイッチ２１に接続されている。各照明器具４〜６は、電源線ＰＬ２を介してスイッチ２２に接続されている。各照明器具７〜９は、電源線ＰＬ３を介してスイッチ２３に接続されている。
【００１５】
この照明システム１００では、照明コントローラ３０が各スイッチ２１〜２３の開閉を制御することで、各スイッチ２１〜２３に接続された各照明器具への電力の供給有無を切り替えるように構成されている。
【００１６】
ここで、スイッチ２１および照明器具１〜３を例に挙げ、それぞれの接続関係をさらに説明する。図１Ｂは、照明器具１〜３およびスイッチ２１の電源線ＰＬ１および信号線ＳＬ１、ＳＬ２を示す図である。
【００１７】
図１Ｂに示すように、照明器具１〜３は、交流電源ＡＣに対して互いに並列に接続されている。スイッチ２１は、交流電源ＡＣと照明器具１〜３との間に直列に接続されている。照明コントローラ３０は、信号線ＳＬ１を介して照明器具１〜３を点灯制御する。また、照明コントローラ３０は、信号線ＳＬ２を介してスイッチ２１を開閉制御する。照明コントローラ３０によってスイッチ２１が開閉されることで、スイッチ２１に接続されている全ての照明器具１〜３への電力の供給有無が切り替えられる。スイッチ２２と照明器具４〜６との関係、および、スイッチ２３と照明器具７〜９との関係についても同様である。
【００１８】
照明システム１００の照明器具１〜９は、例えば、建物の天井等に設置される。照明システム１００を利用するユーザは、図１Ａに示すように通信デバイス６０を携帯し、建物内を自由に移動することができる。通信デバイス６０は、各照明器具１〜９と無線ｒ１で通信可能である。無線ｒ１による通信方式としては、Ｂｌｕｅｔｏｏｔｈ（登録商標）、Ｚｉｇｂｅｅ（登録商標）またはＷｉＦｉ（登録商標）などの方式が用いられる。
【００１９】
照明コントローラ３０は、クラウド４０を介して監視装置５０に接続されている。監視装置５０のモニタ５１には、例えば、建物内における照明器具１〜９の配置および通信デバイス６０の位置が表示される。
【００２０】
なお、各照明器具１〜９と照明コントローラ３０とは、有線に限らず無線で通信可能であってもよい。照明システム１００のスイッチの数は、複数に限られず１つであってもよい。スイッチおよび照明器具は、１対多で接続されていてもよいし、１対１で接続されていてもよい。また、照明コントローラ３０は、監視装置５０が有する機能を兼ね備えていてもよい。照明コントローラ３０は、メインコントローラと、メインコントローラに接続されたサブコントローラとによって構成され、サブコントローラが各照明器具１〜９と通信可能であってもよい。
【００２１】
次に、照明システム１００を構成する照明器具１〜９、スイッチ２１〜２３および照明コントローラ３０について説明する。また、各照明器具１〜９と通信する通信デバイス６０について説明する。
【００２２】
照明器具１〜９は、例えば、ＬＥＤ（Ｌｉｇｈｔ  Ｅｍｉｔｔｉｎｇ  Ｄｉｏｄｅ）ライトである。照明器具１〜９は、建物の造営材である天井などに１００台以上設置されることがある。以下、照明器具１〜９のうち照明器具１を代表例に挙げて説明する。
【００２３】
図２は、照明器具１を示すブロック構成図である。照明器具１は、器具通信部１０ａと、点灯部１０ｂと、器具制御部１０ｃと、照明とは異なる付加機能である受信部１０ｄとを備えている。器具通信部１０ａ、点灯部１０ｂおよび受信部１０ｄのそれぞれは、器具制御部１０ｃに接続されている。
【００２４】
器具通信部１０ａは、信号線ＳＬ１を介して照明コントローラ３０と通信する。点灯部１０ｂは、例えば、白色光、赤色光、緑色光または青色光を発する複数の発光ダイオードなどの光源を含む。
【００２５】
受信部１０ｄは、通信デバイス６０から送信される無線信号を受信する。受信部１０ｄは、例えば、通信デバイス６０の識別情報、および、通信デバイス６０にて演算処理されたデータ情報を含む信号を無線信号として受信する。
【００２６】
器具制御部１０ｃは、器具通信部１０ａを介して受け取った照明コントローラ３０の制御指示に基づいて点灯部１０ｂの点灯状態、すなわち点灯、消灯、点滅、調光および調色を制御する。器具制御部１０ｃは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などによって構成される。器具制御部１０ｃには、ＭＡＣアドレス（Ｍｅｄｉａ  Ａｃｃｅｓｓ  Ｃｏｎｔｒｏｌ  Ａｄｒｅｓｓ）など、照明器具１の識別情報が保存されている。
【００２７】
器具制御部１０ｃは、受信部１０ｄで受信した無線信号の電波強度を求める。電波強度は、例えばＲＳＳＩ（Ｒｅｃｅｉｖｅｄ  Ｓｉｇｎａｌ  Ｓｔｒｅｎｇｔｈ  Ｉｎｄｉｃａｔｏｒ）である。
【００２８】
器具制御部１０ｃは、照明コントローラ３０から器具通信部１０ａを介して、通信デバイス６０から無線信号を受信したか否かの問い合わせを受ける。問い合わせを受けた器具制御部１０ｃは、器具通信部１０ａを介して照明コントローラ３０に、上記無線信号を受信したか否かを返信する。その返信の際、器具制御部１０ｃは、照明器具１の識別情報および無線信号の電波強度も返信する。
【００２９】
スイッチ２１〜２３は、照明器具１〜９への電力の供給有無を切り替える電源スイッチである。スイッチ２１〜２３は、３台に限られず、建物の造営材である壁などに４台以上設置されることがある。以下、スイッチ２１〜２３のうちスイッチ２１を代表例に挙げて説明する。
【００３０】
図３は、スイッチ２１を示すブロック構成図である。スイッチ２１は、スイッチ通信部２１ａと、接点部２１ｂと、スイッチ制御部２１ｃとを備えている。スイッチ通信部２１ａおよび接点部２１ｂのそれぞれは、スイッチ制御部２１ｃに接続されている。
【００３１】
スイッチ通信部２１ａは、信号線ＳＬ２を介して照明コントローラ３０と通信する。スイッチ制御部２１ｃは、ＣＰＵ、ＲＡＭおよびＲＯＭなどによって構成される。スイッチ制御部２１ｃは、スイッチ通信部２１ａを介して受け取った照明コントローラ３０の制御指示に基づいて、接点部２１ｂの作動を制御する。
【００３２】
接点部２１ｂは、電源線ＰＬ１を介して交流電源ＡＣおよび各照明器具１〜３に接続されている。接点部２１ｂが閉じられることで、スイッチ２１に接続されている全ての照明器具１〜３に電力が供給され、接点部２１ｂが開かれることでスイッチ２１に接続されている全ての照明器具１〜３への電力の供給が停止される。接点部２１ｂは、有接点であってもよいし無接点であってもよい。
【００３３】
通信デバイス６０は、ユーザの位置を検出するための携帯認証デバイスである。通信デバイス６０は、認証カードであってもよいし、スマートフォンまたはタブレット端末などの携帯端末であってもよい。
【００３４】
図４は、照明器具１〜９と通信する通信デバイス６０を示すブロック構成図である。通信デバイス６０は、デバイス通信部６０ａと、デバイス通信部６０ａに接続されているデバイス制御部６０ｃとを備える。また、通信デバイス６０は、デバイス通信部６０ａおよびデバイス制御部６０ｃに電力を供給する電池６０ｂを備える。
【００３５】
電池６０ｂは、例えば一次電池または二次電池である。電池６０ｂには、デバイス通信部６０ａおよびデバイス制御部６０ｃを駆動するための電力が蓄えられている。
【００３６】
デバイス制御部６０ｃは、ＣＰＵ、ＲＡＭおよびＲＯＭなどによって構成されている。デバイス制御部６０ｃには、通信デバイス６０の識別情報および通信デバイス６０で演算処理したデータ情報が記憶されている。例えば、通信デバイス６０の識別情報は、通信デバイス６０の管理番号またはＭＡＣアドレスであり、通信デバイス６０で演算処理したデータ情報は、通信デバイス６０を携帯するユーザの歩数、脈拍数、体温などである。
【００３７】
デバイス通信部６０ａは、各照明器具１〜９の受信部１０ｄと無線ｒ１で通信を行う。デバイス通信部６０ａは、デバイス制御部６０ｃから無線信号の送信指示を受けることで、上記識別情報および上記処理データを含む無線信号を各照明器具１〜９に送信する。
【００３８】
照明コントローラ３０は、前述したように、各スイッチ２１〜２３の開閉を制御することで、各スイッチ２１〜２３に接続された各照明器具への電力の供給有無を切り替える。
【００３９】
図５は、照明コントローラ３０を示すブロック構成図である。照明コントローラ３０は、制御部３０ｃと、制御部３０ｃに接続されている通信部３０ａとを備えている。
【００４０】
通信部３０ａは信号線ＳＬ１を介して各照明器具１〜９と通信する。通信部３０ａは、各照明器具１〜９から無線信号に関する情報を取得する。
【００４１】
なお、無線信号に関する情報とは、例えば、照明器具１が通信デバイス６０から無線信号を受信したか否かを示す情報である。また、無線信号に関する情報には、通信デバイス６０の識別情報、照明器具１の識別情報、および、無線信号の電波強度が含まれている。無線信号に関する情報には、通信デバイス６０で演算処理したデータ情報が含まれていてもよい。
【００４２】
制御部３０ｃは、ＣＰＵと、ＲＡＭ、ＲＯＭおよびプログラムを含む記憶部３０ｄとによって構成される。
【００４３】
図６Ａは、照明コントローラ３０の記憶部３０ｄに予め保存されている情報を示す図である。図６Ａに示すように、記憶部３０ｄには、スイッチ２１〜２３および照明器具１〜９のレイアウト情報、スイッチ２１〜２３と照明器具１〜９との接続関係を示す情報、ならびに、照明器具１〜９の制御エリアに関する情報が保存されている。
【００４４】
制御部３０ｃは、所定時間ごと（例えば０．５秒ごと）に、各照明器具１〜９に通信デバイス６０から無線信号を受信したか否かの問い合わせをする。各照明器具１〜９から返信された無線信号に関する情報は、記憶部３０ｄに保存される。
【００４５】
図６Ｂは、照明コントローラ３０の記憶部３０ｄに記憶される情報を示す図である。図６Ｂに示すように、記憶部３０ｄには、無線信号を受信したか否かを示す情報、無線信号を発信した通信デバイス６０の識別情報、無線信号を受信した照明器具１〜３の識別情報、および、通信デバイス６０と各照明器具１〜３との間の無線信号の電波強度が記憶される。
【００４６】
また、制御部３０ｃは、無線信号の電波強度に基づいて建物内における通信デバイス６０の位置を求める。例えば、図６Ｂに示す通信デバイス６０と各照明器具１、２、３との間の無線信号の電波強度に基づいて、各照明器具１、２、３と通信デバイス６０との距離を推定できるので、測距法を用いて通信デバイス６０の位置を求めることができる。求めた通信デバイス６０の位置が監視装置５０のモニタ５１に表示されることで、通信デバイス６０を携帯するユーザの位置が確認可能となる。
【００４７】
本実施の形態の照明システム１００では、制御部３０ｃは、通信部３０ａを介して受け取った無線信号に関する情報に基づき、照明器具１〜９のそれぞれについて無線信号を受信したか否かを判断する。
【００４８】
例えば、制御部３０ｃは、スイッチ２１に接続された照明器具１〜３のうち少なくとも１つの照明器具が無線信号を受信したと判断した場合に、スイッチ２１を閉じてスイッチ２１に接続された全ての照明器具１〜３へ電力を供給する。また、制御部３０ｃは、スイッチ２１に接続された照明器具１〜３のうち全ての照明器具が無線信号を受信していないと判断した場合に、スイッチ２１を開いてスイッチ２１に接続された全ての照明器具１〜３への電力の供給を停止する。
【００４９】
この照明システム１００によれば、照明器具１〜９の付加機能である受信部１０ｄを適切に作動させ、また、照明システム１００の消費電力を削減することができる。
【００５０】
［１−２．照明システムの電力供給方法］
次に、照明システム１００の電力供給方法について説明する。
【００５１】
図７は、照明システム１００の電力供給方法を示すフローチャートである。図８は、照明システム１００の動作の一部を示すシーケンス図である。
【００５２】
はじめは、全スイッチ２１〜２３が閉じられ、全ての照明器具１〜９に電力が供給された状態となっている。ここでまず、スイッチ２１に接続されている照明器具１〜３について、付加機能である受信部１０ｄが作動しているか否かを確認する。具体的には図８に示すように、照明コントローラ３０が各照明器具１〜３に、通信デバイス６０から無線信号を受信したか否かの問い合わせを行う（ステップＳ１１）。
【００５３】
問い合わせを受けた各照明器具１〜３は、無線信号に関する情報として、自身が通信デバイス６０から無線信号を受信したか否かを照明コントローラ３０に返信する。その返信の際、各照明器具１〜３は、無線信号に関する情報として、各照明器具１〜３の自身の識別情報、通信デバイス６０の識別情報、および、無線信号の電波強度を同時に返信する。また、通信デバイス６０が演算処理したデータ情報が存在する場合は、そのデータ情報も含めて返信する。
【００５４】
照明コントローラ３０は、各照明器具１〜３から無線信号に関する情報を取得する（ステップＳ１２）。これにより、照明コントローラ３０の記憶部３０ｄに、図６Ｂに示すような情報が記憶される。
【００５５】
制御部３０ｃは、取得した無線信号に関する情報に基づき、照明器具１〜３の少なくとも１つが無線信号を受信したか否かを判断する（ステップＳ１３）。なお、制御部３０ｃは、受信部１０ｄにて受信した無線信号の電波強度が予め決められた閾値よりも小さい場合に、スイッチ２１に接続された照明器具が無線信号を受信していないと判断してもよい。
【００５６】
図８に示す例では、照明コントローラ３０が各照明器具１〜３から「無線信号の受信有」という返信を受け付けている。そこで制御部３０ｃは、照明器具１〜３の少なくとも１つが無線信号を受信したと判断し（Ｓ１３にてＹ）、スイッチ２１を閉じて（ステップＳ１４）、スイッチ２１に接続された全ての照明器具１〜３への電力供給を継続する。
【００５７】
次に、ステップＳ１６に基づき、次のスイッチであるスイッチ２２に接続されている照明器具４〜６の受信部１０ｄが作動しているか否かを確認する。具体的には、照明コントローラ３０が各照明器具４〜６に、通信デバイス６０から無線信号を受信したか否かの問い合わせを行う（ステップＳ１１）。
【００５８】
問い合わせを受けた各照明器具４〜６は、無線信号に関する情報として、自身が通信デバイス６０から無線信号を受信したか否かを照明コントローラ３０に返信する。その返信の際、各照明器具４〜６は、無線信号に関する情報として、各照明器具４〜６の自身の識別情報、通信デバイス６０の識別情報、および、無線信号の電波強度を同時に返信する。
【００５９】
照明コントローラ３０は、各照明器具４〜６から無線信号に関する情報を取得する（ステップＳ１２）。
【００６０】
制御部３０ｃは、取得した無線信号に関する情報に基づき、照明器具４〜６の少なくとも１つが無線信号を受信したか否かを判断する（ステップＳ１３）。
【００６１】
図８に示す例では、照明コントローラ３０が、照明器具５から「無線信号の受信無」という返信を受け付けているが照明器具４および６から「無線信号の受信有」という返信を受け付けている。そこで制御部３０ｃは、照明器具４〜６の少なくとも１つが無線信号を受信したと判断し（Ｓ１３にてＹ）、スイッチ２２を閉じて（ステップＳ１４）、スイッチ２２に接続された全ての照明器具４〜６への電力供給を継続する。
【００６２】
これによれば、スイッチ２２に接続された照明器具５が無線信号を受信しなかった場合であっても、照明器具４および６が無線信号を受信したと制御部３０ｃが判断して、当該スイッチ２２を閉じて全ての照明器具４〜６へ電力を供給することができる。これにより、照明器具５のスイッチ２２が意図せずに開かれて照明器具４および６の付加機能が働かなくなることを抑制できる。
【００６３】
次に、ステップＳ１６に基づき、次のスイッチであるスイッチ２３に接続されている照明器具７〜９の受信部１０ｄが作動しているか否かを確認する。具体的には、照明コントローラ３０が各照明器具７〜９に、通信デバイス６０から無線信号を受信したか否かの問い合わせを行う（ステップＳ１１）。
【００６４】
問い合わせを受けた各照明器具７〜９は、無線信号に関する情報として、自身が通信デバイス６０から無線信号を受信したか否かを照明コントローラ３０に返信する。その返信の際、各照明器具７〜９は、無線信号に関する情報として、各照明器具７〜９の自身の識別情報、通信デバイス６０の識別情報、および、無線信号の電波強度を同時に返信する。
【００６５】
照明コントローラ３０は、各照明器具７〜９から無線信号に関する情報を取得する（ステップＳ１２）。
【００６６】
制御部３０ｃは、取得した無線信号に関する情報に基づき、照明器具７〜９の少なくとも１つが無線信号を受信したか否かを判断する（ステップＳ１３）。
【００６７】
図８に示す例では、照明コントローラ３０が照明器具７〜９から「無線信号の受信無」という返信を受け付けている。そこで制御部３０ｃは、全ての照明器具７〜９が無線信号を受信していないと判断し（Ｓ１３にてＮ）、スイッチ２３を開いて（ステップＳ１５）、スイッチ２３に接続された全ての照明器具７〜９への電力の供給を停止する。
【００６８】
これにより、全スイッチ２１〜２３の開閉制御に関する判断、すなわち、照明器具１〜９への電力供給の有無に関する判断を終了する。これによれば、照明とは異なる付加機能である受信部１０ｄの通信機能を適切に働かせつつ、照明システム１００の消費電力を削減することができる。
【００６９】
［１−３．効果等］
本実施の形態に係る照明システム１００は、複数の照明器具１〜９と、複数の照明器具１〜９の少なくとも１つに接続されたスイッチ２１〜２３と、スイッチ２１〜２３の開閉を制御することで、スイッチ２１〜２３に接続された照明器具への電力の供給有無を切り替える照明コントローラ３０とを備える。複数の照明器具１〜９のそれぞれは、照明コントローラ３０と通信する器具通信部１０ａと、照明コントローラ３０と異なる通信デバイス６０から送信される無線信号を受信する受信部１０ｄとを有している。照明コントローラ３０は、無線信号に関する情報を受け取る通信部３０ａと、無線信号に関する情報に基づき複数の照明器具１〜９のそれぞれについて無線信号を受信したか否かを判断する制御部３０ｃとを備える。制御部３０ｃは、複数の照明器具１〜９において、ｉ）スイッチに接続された少なくとも１つの照明器具が無線信号を受信したと判断した場合に、当該スイッチを閉じ、ｉｉ）スイッチに接続された全ての照明器具が無線信号を受信していないと判断した場合に、当該スイッチを開く。
【００７０】
これによれば、制御部３０ｃが、照明器具１〜９それぞれについて無線信号を受信したか否かを判断し、この判断に応じてスイッチ２１〜２３の開閉を制御して照明器具１〜９への電力の供給を切り替えることができる。これにより、照明器具１〜９の付加機能を適切に働かせ、また、照明システム１００の消費電力を削減することができる。
【００７１】
また、例えば、スイッチ２２に接続された照明器具４〜６のうち、照明器具５が無線信号を受信しなかった場合であっても、照明器具４および６が無線信号を受信したと制御部３０ｃが判断して、当該スイッチ２２を閉じて全ての照明器具４〜６へ電力を供給することができる。これにより、照明器具５のスイッチ２２が意図せずに開かれて照明器具４および６の付加機能が働かなくなることを抑制できる。
【００７２】
また、制御部３０ｃは、受信部１０ｄにて受信した無線信号の電波強度が予め決められた閾値よりも小さい場合に、当該スイッチに接続された照明器具が無線信号を受信していないと判断してもよい。
【００７３】
これによれば、無線信号の受信精度を高めることができるので、制御部３０ｃが、照明器具１〜９それぞれについて無線信号を受信したか否かを的確に判断することができる。これにより、照明器具１〜９の付加機能を適切に働かせ、また、照明システム１００の消費電力を削減することができる。
【００７４】
また、受信部１０ｄは、通信デバイス６０の識別情報を含む信号を無線信号として受信してもよい。
【００７５】
これによれば、受信部１０ｄを介して無線信号を受け取らせることができる通信デバイス６０を特定することができ、制御部３０ｃが、照明器具１〜９それぞれについて無線信号を受信したか否かを的確に判断することができる。これにより、照明器具１〜９の付加機能を適切に働かせ、また、照明システム１００の消費電力を削減することができる。また、例えば通信デバイス６０が複数存在する場合であっても、制御部３０ｃは、無線信号を送信した通信デバイス６０を特定することができる。
【００７６】
また、複数の照明器具１〜９は、建物内に設置され、制御部３０ｃは、無線信号の電波強度に基づいて建物内における通信デバイス６０の位置を求めてもよい。
【００７７】
これによれば、例えば、ユーザが通信デバイス６０を携帯して移動する場合に、建物内におけるユーザの位置を確認することができる。
【００７８】
本実施の形態に係る照明システム１００の電力供給方法は、外部の通信デバイス６０から送信される無線信号を受信する受信部１０ｄを有する複数の照明器具１〜９と、複数の照明器具１〜９の少なくとも１つに接続されたスイッチ２１〜２３と、スイッチ２１〜２３の開閉を制御することで、スイッチ２１〜２３に接続された照明器具１〜９への電力の供給有無を切り替える照明コントローラ３０とを備える照明システム１００の電力供給方法であって、複数の照明器具１〜９のそれぞれから無線信号に関する情報を取得し、無線信号に関する情報に基づき複数の照明器具１〜９のそれぞれについて無線信号を受信したか否かを判断し、ｉ）上記判断にてスイッチ２１〜２３に接続された少なくとも１つの照明器具が無線信号を受信したと判断した場合に、当該スイッチを閉じ、または、ｉｉ）上記判断にてスイッチ２１〜２３に接続された全ての照明器具が無線信号を受信していないと判断した場合に、当該スイッチを開く。
【００７９】
これによれば、照明器具１〜９それぞれについて無線信号を受信したか否かを判断し、この判断に応じてスイッチ２１〜２３の開閉を制御して照明器具１〜９への電力の供給を切り替えることができる。これにより、照明器具１〜９の付加機能を適切に働かせ、また、照明システム１００の消費電力を削減することができる。
【００８０】
［１−４．実施の形態１の変形例１］
次に、実施の形態１の変形例１に係る照明システム１００について説明する。変形例１では、全ての照明器具１〜９の付加機能が働いているか否かを確認した後、各スイッチ２１〜２３の開閉の判断を同時に行う例について説明する。
【００８１】
図９は、変形例１の照明システム１００の電力供給方法を示すフローチャートである。図１０は、照明システム１００の動作の一部を示すシーケンス図である。
【００８２】
まず、全スイッチ２１〜２３に接続されている照明器具１〜９について、付加機能である受信部１０ｄが作動しているか否かを確認する。具体的には、照明コントローラ３０が各照明器具１〜９に、通信デバイス６０から無線信号を受信したか否かの問い合わせを行う（ステップＳ２１）。
【００８３】
問い合わせを受けた各照明器具１〜９は、無線信号に関する情報として、自身が通信デバイス６０から無線信号を受信したか否かを照明コントローラ３０に返信する。その返信の際、各照明器具１〜９は、無線信号に関する情報として、各照明器具１〜９の自身の識別情報、通信デバイス６０の識別情報、および、無線信号の電波強度を同時に返信する。
【００８４】
照明コントローラ３０は、各照明器具１〜９から無線信号に関する情報を取得する（ステップＳ２２）。
【００８５】
制御部３０ｃは、取得した無線信号に関する情報に基づき、全スイッチ２１〜２３のそれぞれにおいて、スイッチの配下にある照明器具の少なくとも１つが無線信号を受信したか否かを判断する（ステップＳ２３）。
【００８６】
例えば、制御部３０ｃは、全スイッチ２１〜２３のそれぞれにおいて、スイッチの配下にある照明器具の少なくとも１つが無線信号を受信したと判断した場合（Ｓ２３にてＹ）、全スイッチ２１〜２３を閉じる（ステップＳ２４）。また、制御部３０ｃは、全スイッチ２１〜２３のそれぞれにおいて、スイッチの配下にある照明器具の少なくとも１つが無線信号を受信したとはいえないと判断した場合（Ｓ２３にてＮ）、全スイッチ２１〜２３のうち、配下にある全ての照明器具が無線信号を受信していない状況となっているスイッチを開く（ステップＳ２５）。
【００８７】
図１０に示す例では、全スイッチ２１〜２３のうち、スイッチ２３の配下にある全ての照明器具７〜９が無線信号を受信していない状況となっているので、スイッチ２３を開いて照明器具７〜９への電力の供給を停止する。なお、スイッチ２１は、全ての照明器具１〜３が無線信号を受信したので、継続して閉じられる。スイッチ２２は、配下にある照明器具４および６が無線信号を受信したので、継続して閉じられる。
【００８８】
これによれば、照明器具１〜９の付加機能である受信部１０ｄの通信機能を適切に働かせつつ、照明システム１００の消費電力を削減することができる。
【００８９】
［１−５．実施の形態１の変形例２］
次に、実施の形態１の変形例２に係る照明システム１００について説明する。変形例２では、受信部１０ｄの作動していない回数が複数回連続した場合に、スイッチを開いて電力の供給を停止する例について説明する。受信部１０ｄが作動していない回数を複数回確認するのは、無線信号が送信されていないにもかかわらずノイズ等によって受信部１０ｄが作動する場合があるからである。
【００９０】
図１１は、変形例２に係る照明システム１００の電力供給方法を示すフローチャートである。変形例２では、スイッチ２１に接続されている照明器具１〜３を例に挙げて説明する。
【００９１】
まず、スイッチ２１に接続されている照明器具１〜３について、付加機能である受信部１０ｄが作動しているか否かを確認する。具体的には、照明コントローラ３０が各照明器具１〜３に、通信デバイス６０から無線信号を受信したか否かの問い合わせを行う（Ｓ１１）。
【００９２】
問い合わせを受けた各照明器具１〜３は、無線信号に関する情報として、自身が通信デバイス６０から無線信号を受信したか否かを照明コントローラ３０に返信する。照明コントローラ３０の通信部３０ａは、各照明器具１〜３から無線信号に関する情報を取得する（Ｓ１２）。
【００９３】
制御部３０ｃは、取得した無線信号に関する情報に基づき、照明器具１〜３のそれぞれが無線信号を受信したか否かを判断する（Ｓ１３）。
【００９４】
制御部３０ｃは、照明器具１〜３の少なくとも１つが無線信号を受信したと判断した場合（Ｓ１３にてＹ）、スイッチ２１を閉じて（Ｓ１４）、スイッチ２１に接続された全ての照明器具１〜３へ電力を供給する。
【００９５】
一方、制御部３０ｃは、全ての照明器具１〜３が無線信号を受信していないと判断した場合（Ｓ１３にてＮ）、さらに、照明器具１〜３からの「無線信号の受信無」という返信が複数回連続したか否かを判断する（ステップＳ３５）。なお「無線信号の受信無」の回数は、制御部３０ｃに設けられたカウンタによって計数される。
【００９６】
例えば制御部３０ｃは、「無線信号の受信無」という返信が２回連続した場合に（Ｓ３５にてＹ）、スイッチ２１を開いて（Ｓ１５）、照明器具１〜３への電力の供給を停止する。また、制御部３０ｃは、「無線信号の受信無」という返信がまだ１回であり、２回連続していない場合に（Ｓ３５にてＮ）、スイッチ２１を閉じて（Ｓ１４）、照明器具１〜３への電力供給を継続する。なお、「無線信号の受信無」に関する確認回数は、連続２回に限られず連続３回以上であってもよい。スイッチ２２および２３についても同様である。
【００９７】
変形例２の照明システム１００では、制御部３０ｃは、無線信号を受信していない回数が、連続して規定回数以上となった場合に、当該スイッチに接続された照明器具が無線信号を受信していないと判断する。
【００９８】
これによれば、無線信号の受信有無の確度を高めるためることができるので、制御部３０ｃが、照明器具１〜９それぞれについて無線信号を受信したか否かを的確に判断することができる。これにより、照明器具１〜９の付加機能を適切に働かせ、また、照明システム１００の消費電力を削減することができる。
【００９９】
［１−６．実施の形態１の変形例３および４］
次に、実施の形態１の変形例３および４に係る照明システム１００について説明する。変形例３では、スイッチ２１〜２３を開いて照明器具１〜９への電力の供給を停止する前に、照明器具１〜９の点灯制御状態を確認する例について説明する。例えば、照明器具が点灯制御要状態であるにもかかわらずスイッチを開いて電力の供給を停止すると、光を照射するという照明器具の本来の機能を発揮することができないからである。
【０１００】
図１２は、変形例３に係る照明システム１００の電力供給方法を示すフローチャートである。変形例３でも、スイッチ２１に接続されている照明器具１〜３を例に挙げて説明する。
【０１０１】
まず、照明コントローラ３０が各照明器具１〜３に、通信デバイス６０から無線信号を受信したか否かの問い合わせを行う（Ｓ１１）。
【０１０２】
各照明器具１〜３は、無線信号に関する情報として、自身が通信デバイス６０から無線信号を受信したか否かを照明コントローラ３０に返信する。照明コントローラ３０の通信部３０ａは、各照明器具１〜３から無線信号に関する情報を取得する（Ｓ１２）。
【０１０３】
制御部３０ｃは、取得した無線信号に関する情報に基づき、照明器具１〜３のそれぞれが無線信号を受信したか否かを判断する（Ｓ１３）。
【０１０４】
制御部３０ｃは、照明器具１〜３の少なくとも１つが無線信号を受信したと判断した場合（Ｓ１３にてＹ）、スイッチ２１を閉じて（Ｓ１４）、スイッチ２１に接続された全ての照明器具１〜３へ電力を供給する。
【０１０５】
一方、制御部３０ｃは、全ての照明器具１〜３が無線信号を受信していないと判断した場合（Ｓ１３にてＮ）、さらに、全ての照明器具１〜３が点灯制御不要状態であるか否かを判断する（ステップＳ４５）。制御部３０ｃは、全ての照明器具１〜３が点灯制御不要状態である場合（Ｓ４５にてＹ）、スイッチ２１を開いて（Ｓ１５）、照明器具１〜３への電力の供給を停止する。それに対し制御部３０ｃは、少なくとも１つの照明器具１〜３が点灯制御要状態となっている場合に（Ｓ４５にてＮ）、スイッチ２１を閉じて（Ｓ１４）、照明器具１〜３への電力供給を継続する。スイッチ２２および２３についても同様である。
【０１０６】
変形例３の照明システム１００では、制御部３０ｃは、スイッチに接続された照明器具のうち全ての照明器具が無線信号を受信していないと判断し、かつ、スイッチに接続された照明器具のうち全ての照明器具が点灯制御不要状態となっている場合に、当該スイッチに接続された全ての照明器具への電力の供給を停止する。
【０１０７】
これによれば、例えば、照明器具が点灯制御要状態であるにもかかわらず、スイッチが開かれて電力の供給が停止されることを抑止することができる。
【０１０８】
なお、上記変形例３では、照明器具１〜９への電力の供給を停止する前に、照明器具１〜９の点灯制御状態を確認する例についてしたが、次に示す変形例４のように、照明器具１〜９のスケジュールを確認して判断を行ってもよい。
【０１０９】
図１３は、変形例４に係る照明システム１００の電力供給方法を示すフローチャートである。図１４は、変形例４の照明コントローラ３０の記憶部３０ｄに予め保存されている情報を示す図である。
【０１１０】
図１４に示すように、記憶部３０ｄには、照明器具１〜９の調光率に関する点灯スケジュールが記憶されている。例えば、照明器具１は、朝および夜が消灯、午前および午後が１００％点灯、昼が３０％点灯となるようにスケジュール設定されている。
【０１１１】
図１３に示すように、変形例４の制御部３０ｃは、無線信号に関する情報に基づき、照明器具１〜３のそれぞれが無線信号を受信したか否かを判断する（Ｓ１３）。
【０１１２】
制御部３０ｃは、照明器具１〜３の少なくとも１つが無線信号を受信したと判断した場合（Ｓ１３にてＹ）、スイッチ２１を閉じて（Ｓ１４）、スイッチ２１に接続された全ての照明器具１〜３へ電力を供給する。
【０１１３】
一方、制御部３０ｃは、全ての照明器具１〜３が無線信号を受信していないと判断した場合（Ｓ１３にてＮ）、さらに、全ての照明器具１〜３のスケジュールが消灯に設定されているか否かを判断する（Ｓ５５）。制御部３０ｃは、全ての照明器具１〜３のスケジュールが消灯に設定されている場合に（Ｓ５５にてＹ）、消灯に設定されている時間帯にスイッチ２１を開いて（Ｓ１５）、照明器具１〜３への電力の供給を停止する。それに対し、制御部３０ｃは、少なくとも１つの照明器具１〜３のスケジュールが消灯に設定されていないと判断した場合に（Ｓ５５にてＮ）、スイッチ２１を閉じて（Ｓ１４）、照明器具１〜３への電力供給を継続する。
【０１１４】
変形例４の照明システム１００では、制御部３０ｃは、スイッチに接続された照明器具のうち全ての照明器具が無線信号を受信していないと判断し、かつ、スイッチに接続された照明器具のうち全ての照明器具のスケジュールが消灯に設定されている場合に、消灯に設定されている時間帯に当該スイッチに接続された全ての照明器具への電力の供給を停止する。
【０１１５】
これによれば、例えば、照明器具が点灯状態となるようにスケジュール設定されているにもかかわらず、スイッチが開かれて電力の供給が停止されることを抑止することができる。
【０１１６】
（実施の形態２）
次に、実施の形態２に係る照明システム１００Ａについて説明する。実施の形態２では、スイッチを開いて照明器具への電力の供給を停止する前に、停止しようとする照明器具の近くに無線信号を受信した他の照明器具が存在するか否かを確認する例について説明する。例えば、停止しようとする照明器具の近くに無線信号を受信している他の照明器具が存在する場合、照明器具の近くに通信デバイス６０が位置している可能性があり、停止せずに電力を供給させたほうが、通信デバイス６０の移動に対する照明器具の作動の遅れを抑制できるからである。
【０１１７】
図１５は、照明システム１００Ａの電力供給方法を示すフローチャートである。図１６は、照明システム１００Ａを示すレイアウト図である。実施の形態２では、スイッチ２２に接続されている照明器具４を例に挙げて説明する。
【０１１８】
まず、照明コントローラ３０が各照明器具４〜６に、通信デバイス６０から無線信号を受信したか否かの問い合わせを行う（Ｓ１１）。
【０１１９】
各照明器具４〜６は、無線信号に関する情報として、自身が通信デバイス６０から無線信号を受信したか否かを照明コントローラ３０に返信する。照明コントローラ３０の通信部３０ａは、各照明器具４〜６から無線信号に関する情報を取得する（Ｓ１２）。
【０１２０】
制御部３０ｃは、取得した無線信号に関する情報に基づき、照明器具４〜６のそれぞれが無線信号を受信したか否かを判断する（Ｓ１３）。
【０１２１】
制御部３０ｃは、照明器具４〜６の少なくとも１つが無線信号を受信したと判断した場合（Ｓ１３にてＹ）、スイッチ２２を閉じて、スイッチ２２に接続された全ての照明器具４〜６へ電力を供給する（Ｓ１４）。
【０１２２】
一方、制御部３０ｃは、全ての照明器具４〜６が無線信号を受信していないと判断した場合（Ｓ１３にてＮ）、さらに、照明器具４〜６のうち例えば照明器具４の規定領域Ｔ１内に無線信号を受信した照明器具が他に無いかを判断する（ステップＳ６５）。
【０１２３】
ここで照明器具４の規定領域Ｔ１とは、図１６に示すｘｙ座標において、照明器具４を基準として設定される領域（ハッチングドットで示す領域）である。本実施の形態の規定領域Ｔ１は、照明器具４を基準として２目盛広い領域（ｘ：７〜１１、ｙ：１０〜１４）である。
【０１２４】
制御部３０ｃが、照明器具４の規定領域Ｔ１内に無線信号を受信した照明器具が他に無いと判断した場合は（Ｓ６５にてＹ）、スイッチ２２が開かれ（Ｓ１５）、照明器具４〜６への電力の供給が停止される。それに対し本実施の形態では、図１６に示すように、照明器具４が接続されているスイッチ２２と異なるスイッチ２１に接続された照明器具３が無線信号を受信している。そのため制御部３０ｃが、照明器具４の規定領域Ｔ１内に無線信号を受信した照明器具が他に存在すると判断し（Ｓ６５にてＮ）、スイッチ２２が閉じられて（Ｓ１４）、照明器具４〜６への電力供給が継続される。
【０１２５】
実施の形態２に係る照明システム１００Ａでは、制御部３０ｃは、さらに、通信部３０ａにて取得した情報に基づき、スイッチ（例えばスイッチ２２）に接続された照明器具（例えば照明器具４）を基準として規定領域Ｔ１内に位置しかつスイッチ２２と異なるスイッチ（例えばスイッチ２１）に接続された照明器具（例えば照明器具３）が無線信号を受信したか否かを判断する。そして制御部３０ｃは、スイッチ２２と異なるスイッチ２１に接続された照明器具３が無線信号を受信した場合に、当該スイッチ２２に接続された全ての照明器具４〜６への電力の供給を停止せず、電力を供給する。
【０１２６】
これによれば、例えば、無線信号を受信した照明器具３の近くに位置する照明器具４の作動の遅れを抑制することができる。これにより、照明器具４の付加機能を適切に働かせ、また、照明システム１００Ａの消費電力を削減することができる。
【０１２７】
なお、上記実施の形態２では、照明器具４を基準とする領域を規定領域Ｔ１と設定したが、次に示す変形例のように、スイッチ２２に接続された全ての照明器具４〜６を含む領域を基準として規定領域を設定してもよい。
【０１２８】
図１７は、実施の形態２の変形例に係る照明システム１００Ａを示すレイアウト図である。
【０１２９】
この変形例の照明システム１００Ａでは、制御部３０ｃが、全ての照明器具４〜６が無線信号を受信していないと判断した場合（Ｓ１３にてＮ）、さらに、全ての照明器具４〜６を含む規定領域Ｔ２内に無線信号を受信した照明器具が他に無いかを判断する（ステップＳ６５）。
【０１３０】
ここで規定領域Ｔ２とは、図１７に示すｘｙ座標において、例えばスイッチ２２に接続された全ての照明器具４〜６を含む領域を基準として設定される領域（ハッチングドットで示す領域）である。本変形例の規定領域Ｔ２は、スイッチ２２の制御エリア（ｘ：８〜１４、ｙ：４〜１４）を基準として１目盛広い領域である。
【０１３１】
制御部３０ｃが、上記規定領域Ｔ２内に無線信号を受信した照明器具が他に無いと判断した場合は（Ｓ６５にてＹ）、スイッチ２２が開かれ（Ｓ１５）、照明器具４〜６への電力の供給が停止される。それに対し本変形例では、図１７に示すように、照明器具４が接続されているスイッチ２２と異なるスイッチ２１に接続された照明器具３が、無線信号を受信している。そのため、制御部３０ｃが、規定領域Ｔ２内に無線信号を受信した照明器具が他に存在すると判断し（Ｓ６５にてＮ）、スイッチ２２が閉じられて（Ｓ１４）、照明器具４〜６への電力供給が継続される。
【０１３２】
このように、実施の形態２の変形例に係る照明システム１００Ａでは、制御部３０ｃは、さらに、通信部３０ａにて取得した情報に基づき、スイッチ（例えばスイッチ２２）に接続された全ての照明器具４〜６を含む領域を基準として規定領域Ｔ２内に位置しかつスイッチ２２と異なるスイッチ（例えばスイッチ２１）に接続された照明器具（例えば照明器具３）が無線信号を受信したか否かを判断する。そして制御部３０ｃは、スイッチ２２と異なるスイッチ２１に接続された照明器具３が無線信号を受信した場合に、当該スイッチ２２に接続された全ての照明器具４〜６への電力の供給を停止せず、電力を供給する。
【０１３３】
これによれば、例えば、無線信号を受信した照明器具３の近くに位置する照明器具４〜６の作動の遅れを抑制することができる。これにより、照明器具４〜６の付加機能を適切に働かせ、また、照明システム１００Ａの消費電力を削減することができる。
【０１３４】
（実施の形態３）
次に、実施の形態３に係る照明システム１００Ｂについて説明する。実施の形態３では、照明器具への電力の供給を一旦停止させた後、照明器具への電力の供給を再開する例について説明する。例えば、停止した照明器具の近くに無線信号を受信している他の照明器具が存在する場合、照明器具の近くに通信デバイス６０が位置している可能性があり、電力の供給を再開させたほうが、通信デバイス６０の移動に対する照明器具の作動の遅れを抑制できるからである。
【０１３５】
図１８は、照明システム１００Ｂの電力供給方法を示すフローチャートである。図１９は、照明システム１００Ｂを示すレイアウト図である。実施の形態３でも、スイッチ２２に接続されている照明器具４を例に挙げて説明する。
【０１３６】
まず、図１９の（ａ）に示すように、通信デバイス６０が、照明器具４から遠く離れてスイッチ２３の制御エリアに位置する。この状況では、スイッチ２２に接続された全ての照明器具４〜６が、通信デバイス６０の無線信号を受信することができず、スイッチ２２が開かれた状態となる。これにより、スイッチ２２に接続された照明器具４への電力供給が一旦停止される（ステップＳ７１）。
【０１３７】
次に、図１９の（ｂ）に示すように、通信デバイス６０が移動して、スイッチ２１の制御エリアに移動する。制御部３０ｃは、照明器具４の規定領域Ｔ１内に無線信号を受信した照明器具が他に無いかを判断する（ステップＳ７５）。
【０１３８】
ここで制御部３０ｃが、照明器具４の規定領域Ｔ１内に無線信号を受信した照明器具が他に無いと判断した場合は（Ｓ７５にてＹ）、スイッチ２２が開かれ（Ｓ１５）、照明器具４〜６への電力の供給が停止される。それに対し本実施の形態では、図１９の（ｂ）に示すように、照明器具４が接続されているスイッチ２２と異なるスイッチ２１に接続された照明器具３が、無線信号を受信している。そのため制御部３０ｃが、照明器具４の規定領域Ｔ１内に無線信号を受信した照明器具が他に存在すると判断し（Ｓ７５にてＮ）、スイッチ２２が閉じられて（Ｓ１４）、照明器具４〜６への電力供給が再開される。
【０１３９】
実施の形態３に係る照明システム１００Ｂでは、制御部３０ｃは、スイッチ（例えばスイッチ２２）に接続された全ての照明器具４〜６への電力の供給が停止状態にあり、かつ、スイッチ２２に接続された照明器具（例えば照明器具４）を基準として規定領域Ｔ１内に位置しかつスイッチ２２と異なるスイッチ（例えばスイッチ２１）に接続された照明器具（例えば照明器具３）が無線信号を受信した場合に、停止状態を解除して当該スイッチに接続された全ての照明器具４〜６へ電力を供給する。
【０１４０】
これによれば、例えば、無線信号を受信した照明器具３の近くに位置する照明器具４の作動の遅れを抑制することができる。これにより、照明器具４の付加機能を適切に働かせ、また、照明システム１００Ｂの消費電力を削減することができる。
【０１４１】
なお、上記実施の形態３では、照明器具４を基準とする領域を規定領域Ｔ１と設定したが、次に示す変形例のように、スイッチ２２に接続された全ての照明器具４〜６を含む領域を基準として規定領域を設定してもよい。
【０１４２】
図２０は、実施の形態３の変形例に係る照明システム１００Ｂを示すレイアウト図である。
【０１４３】
まず、図２０の（ａ）に示すように、通信デバイス６０が、照明器具４から遠く離れてスイッチ２３の制御エリアに位置する。この状況では、スイッチ２２に接続された全ての照明器具４〜６が、通信デバイス６０の無線信号を受信することができず、スイッチ２２が開かれた状態となる。これにより、スイッチ２２に接続された照明器具４への電力供給が一旦停止される（ステップＳ７１）。
【０１４４】
次に、図２０の（ｂ）に示すように、通信デバイス６０が移動して、スイッチ２１の制御エリアに移動する。制御部３０ｃは、規定領域Ｔ２内に無線信号を受信した照明器具が他に無いかを判断する（ステップＳ７５）。
【０１４５】
ここで制御部３０ｃが、規定領域Ｔ２内に無線信号を受信した照明器具が他に無いと判断された場合は（Ｓ７５にてＹ）、スイッチ２２が開かれ（Ｓ１５）、照明器具４〜６への電力の供給が停止される。それに対し本変形例では、図２０の（ｂ）に示すように、照明器具４が接続されているスイッチ２２と異なるスイッチ２１に接続された照明器具３が、無線信号を受信している。そのため制御部３０ｃが、規定領域Ｔ２内に無線信号を受信した照明器具が他に存在すると判断し（Ｓ７５にてＮ）、スイッチ２２が閉じられて（Ｓ１４）、照明器具４〜６への電力供給が再開される。
【０１４６】
このように、実施の形態３の変形例に係る照明システム１００Ｂでは、制御部３０ｃは、スイッチ（例えばスイッチ２２）に接続された全ての照明器具４〜６への電力の供給が停止状態にあり、かつ、スイッチ２２に接続された全ての照明器具４〜６を含む領域を基準として規定領域Ｔ２内に位置しかつスイッチ２２と異なるスイッチ（例えばスイッチ２１）に接続された照明器具（例えば照明器具３）が無線信号を受信した場合に、停止状態を解除して当該スイッチ２２に接続された全ての照明器具４〜６へ電力を供給する。
【０１４７】
これによれば、例えば、無線信号を受信した照明器具３の近くに位置する照明器具４〜６の作動の遅れを抑制することができる。これにより、照明器具４〜６の付加機能を適切に働かせ、また、照明システム１００Ｂの消費電力を削減することができる。
【０１４８】
（実施の形態４）
次に、実施の形態４に係る照明システム１００について説明する。実施の形態４では、全スイッチ２１〜２３が開となった後、照明器具１〜９を再び作動させる例について説明する。全スイッチ２１〜２３が開となる状況は、通信デバイス６０を携帯したユーザが建物（または部屋）の外に移動した場合に起こり得る。本実施の形態では、以下に示すようにして照明器具１〜９を再び作動させる。
【０１４９】
図２１は、照明システム１００の電力供給方法を示すフローチャートである。
【０１５０】
例えば、通信デバイス６０が照明器具１〜９から遠く離れて建物の外に出た場合、照明器具１〜９が通信デバイス６０の無線信号を受信しなくなり、全スイッチ２１〜２３が開となる（ステップＳ８１）。
【０１５１】
本実施の形態では、このように全ての照明器具１〜９への電力の供給が停止された場合に、一定時間ごとに全てのスイッチ２１〜２３を閉じることでスイッチ２１〜２３に接続された全ての照明器具１〜９に電力を供給し、受信部１０ｄが無線信号を受付可能な状態とする。
【０１５２】
具体的には、まず、全スイッチ２１〜２３を規定時間閉じる（ステップＳ８２）。この規定時間の間、照明器具１〜９の受信部１０ｄは、無線信号を受信可能となる。なお規定時間は、例えば、０．５秒以上１秒以下である。
【０１５３】
次に、制御部３０ｃは、照明器具１〜９の少なくとも１つが無線信号を受信したか否かを判断する（ステップＳ８３）。
【０１５４】
制御部３０ｃは、全ての照明器具１〜９が無線信号を受信していないと判断した場合（Ｓ８３のＮ）、ステップＳ８２に戻って、再び全スイッチ２１〜２３を規定時間閉じる。制御部３０ｃは、照明器具１〜９の少なくとも１つが無線信号を受信するまで、ステップＳ８２およびＳ８３を繰り返す。ステップＳ８２およびＳ８３が繰り返される一定時間の周期は、照明コントローラ３０の記憶部３０ｄに保存されている。
【０１５５】
図２２は、実施の形態４の照明コントローラ３０の記憶部３０ｄに予め保存されている情報を示す図である。記憶部３０ｄには、各スイッチ２１〜２３の重要度と、一定時間の周期が保存されている。図２２に示すように、スイッチに接続されている照明器具の重要度が高いほど、スイッチが開閉される上記一定時間が短く設定されている。
【０１５６】
制御部３０ｃは、照明器具１〜９の少なくとも１つが無線信号を受信した場合（Ｓ８３にてＹ）、無線信号を受信したスイッチを介して、当該スイッチの配下にある照明器具に電力を供給する。このように、スイッチ２１〜２３のうちいずれかのスイッチが閉じられて、照明器具１〜９に電力が供給されることで、実施の形態１〜３に示すような照明器具１〜９の作動が再び可能となる。
【０１５７】
実施の形態４に係る照明システム１００では、制御部３０ｃは、全ての複数の照明器具１〜９への電力の供給が停止された場合に、一定時間ごとに全てのスイッチ２１〜２３を閉じることで当該スイッチ２１〜２３に接続された全ての照明器具１〜９に電力を供給し、受信部１０ｄが無線信号を受付可能な状態とする。
【０１５８】
このように、一定時間ごとに全スイッチ２１〜２３が閉じられることで、照明器具１〜９を再び作動させることができる。またこのように照明器具１〜９を再び作動させることで、照明器具１〜９の付加機能等を適切に働かせることができる。
【０１５９】
また、制御部３０ｃは、スイッチ２１〜２３ごとに予め決められた一定時間を記憶する記憶部３０ｄを有し、記憶部３０ｄに記憶された一定時間に基づいてスイッチ２１〜２３に接続された全ての照明器具１〜９に電力を供給する。
【０１６０】
これによれば、記憶部３０ｄに記憶された一定時間に基づいて、各スイッチ２１〜２３を作動することができる。これによれば、例えばスイッチごとに決められた重要度に基づいて、スイッチの開閉周期を変えることができる。このように照明器具１〜９を一定周期で再び作動させることで、照明器具１〜９の付加機能等を適切に働かせることができる。
【０１６１】
（実施の形態５）
次に、実施の形態５に係る照明システム１００Ｃについて説明する。実施の形態５では、照明システムに、センサ等の入力機器７０が設けられている例について説明する。
【０１６２】
図２３は、実施の形態５に係る照明システム１００Ｃを示す模式図である。
【０１６３】
図２３に示すように、照明システム１００Ｃは、照明コントローラ３０に接続されている入力機器７０を備えている。入力機器７０は、例えば、ドアセンサ、赤外線センサ、熱線センサおよび画像センサである。入力機器７０は、スイッチ２１〜２３のうちの少なくとも１つのスイッチに対応している。照明システム１００Ｃでは、入力機器７０に入力された結果に基づいて、入力機器７０に対応するスイッチが開閉する構成となっている。
【０１６４】
具体的には、制御部３０ｃは、入力機器７０から出力された信号を受け付けた場合に、入力機器７０に対応するスイッチを閉じて、当該スイッチに接続された照明器具に電力を供給する。例えば、入力機器７０がドアセンサである場合、ユーザがドアを開いて入室する際、入力機器７０が作動してスイッチ２３が閉じる。これにより、スイッチ２３に接続されている照明器具７〜９が点灯する。
【０１６５】
本実施の形態に係る照明システム１００Ｃでは、さらに、照明コントローラ３０に接続され、スイッチ２１〜２３のうちの少なくとも１つのスイッチに対応する入力機器７０を備える。制御部３０ｃは、入力機器７０から出力された信号を受け付けた場合に、入力機器７０に対応するスイッチを閉じて、当該スイッチに接続された照明器具に電力を供給する。
【０１６６】
これによれば、外部の入力機器７０を用いて、入力機器７０に対応するスイッチを作動させ、稼働すべき照明器具を選択して作動することができる。
【０１６７】
（その他の形態）
以上、照明システム１００等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【符号の説明】
【０１６８】
１、２、３、４、５、６、７、８、９  照明器具
１０ａ  器具通信部
１０ｂ  点灯部
１０ｃ  器具制御部
１０ｄ  受信部
２１、２２、２３  スイッチ
３０  照明コントローラ
３０ａ  通信部
３０ｃ  制御部
３０ｄ  記憶部
６０  通信デバイス
７０  入力機器
１００、１００Ａ、１００Ｂ、１００Ｃ  照明システム
Ｔ１、Ｔ２  規定領域
【図１Ａ】
2020027763.tif 000003
【図１Ｂ】
2020027763.tif 000004
【図２】
2020027763.tif 000005
【図３】
2020027763.tif 000006
【図４】
2020027763.tif 000007
【図５】
2020027763.tif 000008
【図６Ａ】
2020027763.tif 000009
【図６Ｂ】
2020027763.tif 000010
【図７】
2020027763.tif 000011
【図８】
2020027763.tif 000012
【図９】
2020027763.tif 000013
【図１０】
2020027763.tif 000014
【図１１】
2020027763.tif 000015
【図１２】
2020027763.tif 000016
【図１３】
2020027763.tif 000017
【図１４】
2020027763.tif 000018
【図１５】
2020027763.tif 000019
【図１６】
2020027763.tif 000020
【図１７】
2020027763.tif 000021
【図１８】
2020027763.tif 000022
【図１９】
2020027763.tif 000023
【図２０】
2020027763.tif 000024
【図２１】
2020027763.tif 000025
【図２２】
2020027763.tif 000026
【図２３】
2020027763.tif 000027